(57)【特許請求の範囲】
【請求項１】
カードが搬送されるカード搬送路を閉鎖および開放するシャッター部材を備え、
前記シャッター部材は、前記カード搬送路を閉鎖するための閉鎖部と、前記カードの挿入方向で前記閉鎖部よりも手前に配置され前記カード搬送路に挿入された前記カードの端部が当接するカード当接部と、前記カードの挿入方向に略直交する方向を軸方向として前記閉鎖部および前記カード当接部を回動可能に支持する軸部とを備え、
前記閉鎖部と前記軸部とは、前記カードの挿入方向でずれた位置に配置され、
前記カードの厚さ方向における前記カード搬送路の中心と、前記軸部の径方向中心とが前記カードの厚さ方向で略一致しており、
前記カード当接部に前記カードの端部が当接すると、前記閉鎖部および前記カード当接部が前記軸部を中心に回動して前記カード搬送路を開放することを特徴とするカードリーダのシャッター機構。
【請求項２】
前記軸部は、前記カードの挿入方向における前記シャッター部材の奥端側に配置されていることを特徴とする請求項１記載のカードリーダのシャッター機構。
【請求項３】
前記カード当接部は、前記カードに当接して回転するローラを備え、
前記ローラは、前記カードの端部の、前記カードの挿入方向に略直交する方向における両端側が当接可能となるように、前記カードの挿入方向に略直交する方向における前記カード搬送路の両側に配置されていることを特徴とする請求項１または２記載のカードリーダのシャッター機構。
【請求項４】
前記閉鎖部および前記カード当接部の回動をロックするロックレバーを備え、
前記ロックレバーは、前記カードの端部の、前記カードの挿入方向に略直交する方向における両端側が当接可能となるように、前記カードの挿入方向に略直交する方向における前記カード搬送路の両側に配置され、
前記カードの端部の、前記カードの挿入方向に略直交する方向における両端側が前記ロックレバーに当接すると、前記ロックレバーによる前記閉鎖部および前記カード当接部のロック状態が解除されることを特徴とする請求項３記載のカードリーダのシャッター機構。
【請求項５】
前記カード当接部は、前記カードの挿入方向における前記ローラよりも手前に、前記カードの端部が当接する斜面部を備え、
前記カードの端部が前記斜面部に当接すると、前記ローラは、前記カード搬送路の開放方向へ前記軸部を中心に回動することを特徴とする請求項３または４記載のカードリーダのシャッター機構。
【請求項６】
前記シャッター部材は、前記閉鎖部および前記カード当接部が前記カード搬送路の開放方向へ回動したときに、前記カードの挿入方向における前記カード搬送路の奥側へ前記カードを案内するカード乗継部を、前記カードの挿入方向における前記閉鎖部の奥側に備えることを特徴とする請求項１から５いずれかに記載のカードリーダのシャッター機構。
【請求項７】
前記閉鎖部は、前記カード搬送路を閉鎖した状態で前記カードの挿入側から押されたときに、前記カード搬送路の開放方向と逆方向へ前記閉鎖部が回動するように傾斜する傾斜面を備えることを特徴とする請求項１から６いずれかに記載のカードリーダのシャッター機構。
【請求項８】
請求項１から７のいずれかに記載のカードリーダのシャッター機構をカード挿入部に備えることを特徴とするカードリーダ。
【請求項９】
前記カード挿入部は、前記カードリーダの本体部内に前記カードが入っているときに点滅する発光部材と、前記発光部材を覆う透明または半透明のカバー部材を備えることを特徴とする請求項８記載のカードリーダ。
【発明の詳細な説明】
【技術分野】
【０００１】
本発明は、カードが搬送されるカード搬送路を開閉するためのカードリーダのシャッター機構およびこのシャッター機構を備えるカードリーダに関する。
【背景技術】
【０００２】
従来から、カードに記録された情報の再生やカードへの情報の記録を行うカードリーダのカード挿入口には、カード搬送路を開閉するためのシャッター機構が設けられている（たとえば、特許文献１および２参照）。
【０００３】
特許文献１に開示されたシャッター機構は、カード搬送路を閉鎖するためのシャッター板と、駆動源としてのソレノイドと、ソレノイドの動力でスライドするスライドレバーと、スライドレバーがスライドすると回動するスイングアームとを備えている。このシャッター機構では、スイングアームの下端側にシャッター板がぶら下がるように取り付けられており、スイングアームの回動に伴ってシャッター板が上下動して、カード搬送路の開閉を行う。なお、このシャッター機構では、シャッター板の背面に、ソレノイドが固定されるベース板が配置されている。
【０００４】
特許文献２に開示されたシャッター機構は、カード搬送路を閉鎖するための遮蔽部材と、遮蔽部材をロックするためのソレノイドおよびプランジャを備えている。このシャッター機構では、カード搬送路の上方にかつカード搬送路を横切る向きに配置された軸に遮蔽部材が揺動自在に支持されており、プランジャの先端側に形成された狭持部によって、遮蔽部材の下端側が狭持されるとカード搬送路が閉鎖される。
【０００５】
【特許文献１】特開２０００−３３１１２５号公報
【特許文献２】特開平１０−４０３４４号公報
【発明の開示】
【発明が解決しようとする課題】
【０００６】
しかしながら、特許文献１、２に記載のシャッター機構では、カード搬送路を開閉するためにソレノイドが必要であり、シャッター機構が大型化するとともにシャッター機構のコストが嵩む。
【０００７】
また、特許文献１に記載のシャッター機構では、スイングアームの下端側にシャッター板がぶら下がるように取り付けられており、スイングアームとシャッター板との連結部分は、カード搬送路に異物が強制的に挿入されてシャッター板に異物が接触したとき力の支点となる。そのため、シャッター板に異物が接触したときの力の作用点となる異物の接触部分と、このときの力の支点となるスイングアームとシャッター板との連結部分との高さ方向の距離が長くなり、スイングアームとシャッター板との連結部分に大きな曲げ力がかかりやすくなる。したがって、シャッター板の背面にベース板がないと、異物が挿入された際に、スイングアームとシャッター板との連結部分が変形して、異物の挿入を防止できない状況が生じうる。
【０００８】
そこで、本発明の課題は、簡易な構成で、異物の挿入を防止するために必要な強度を従来以上に高めることが可能なカードリーダのシャッター機構およびこのシャッター機構を備えるカードリーダを提供することにある。
【課題を解決するための手段】
【０００９】
上記の課題を解決するため、本発明のカードリーダのシャッター機構は、カードが搬送されるカード搬送路を閉鎖および開放するシャッター部材を備え、シャッター部材は、カード搬送路を閉鎖するための閉鎖部と、カードの挿入方向で閉鎖部よりも手前に配置されカード搬送路に挿入されたカードの端部が当接するカード当接部と、カードの挿入方向に略直交する方向を軸方向として閉鎖部およびカード当接部を回動可能に支持する軸部とを備え、閉鎖部と軸部とは、カードの挿入方向でずれた位置に配置され、カードの厚さ方向におけるカード搬送路の中心と、軸部の径方向中心とがカードの厚さ方向で略一致しており、カード当接部にカードの端部が当接すると、閉鎖部およびカード当接部が軸部を中心に回動してカード搬送路を開放することを特徴とする。
【００１０】
本発明のシャッター機構では、カード当接部にカードの端部が当接すると、カード搬送路を閉鎖する閉鎖部がカード当接部とともに軸部を中心に回動してカード搬送路を開放する。そのため、カード搬送路を開閉する駆動源が不要となり、シャッター機構の構成を簡素化できる。
【００１１】
ここで、本発明では、軸部が閉鎖部の回動中心となっているため、カード搬送路に異物が挿入され異物が閉鎖部に接触すると軸部に接触時の力がかかる。しかし、本発明では、カードの厚さ方向におけるカード搬送路の中心と、軸部の径方向中心とがカードの厚さ方向で略一致しているため、カード搬送路を閉鎖する閉鎖部に異物が接触した際に、シャッター部材には、軸部に向かう圧縮力あるいは軸部から遠ざかる方向への引張り力が生じる。その結果、本発明では、従来の構成と比較して、異物の挿入を防止するために必要なシャッター機構の強度を高めることが可能になる。
【００１３】
本発明において、軸部は、カードの挿入方向におけるシャッター部材の奥端側に配置されていることが好ましい。このように構成すると、排出方向にカードが搬送される際に、シャッター部材が回動しやすくなる。したがって、排出時のカードが、シャッター機構の配置部を円滑に通過しやすくなり、カードを円滑に排出することが可能になる。
【００１４】
本発明において、カード当接部は、カードに当接して回転するローラを備え、ローラは、カードの端部の、カードの挿入方向に略直交する方向における両端側が当接可能となるように、カードの挿入方向に略直交する方向におけるカード搬送路の両側に配置されていることが好ましい。このように構成すると、カードを円滑に搬送することができ、カードの搬送負荷を低減することができる。また、カードに傷が生じるのを抑制することができる。また、本発明において、カードリーダのシャッター機構は、閉鎖部およびカード当接部の回動をロックするロックレバーを備え、ロックレバーは、カードの端部の、カードの挿入方向に略直交する方向における両端側が当接可能となるように、カードの挿入方向に略直交する方向におけるカード搬送路の両側に配置され、カードの端部の、カードの挿入方向に略直交する方向における両端側がロックレバーに当接すると、ロックレバーによる閉鎖部およびカード当接部のロック状態が解除されることが好ましい。
【００１５】
本発明において、カード当接部は、カードの挿入方向におけるローラよりも手前に、カードの端部が当接する斜面部を備え、カードの端部が斜面部に当接すると、ローラは、カード搬送路の開放方向へ軸部を中心に回動することが好ましい。このように構成すると、ローラの径を小さくしても、カードの端部がローラに接触した際にローラが円滑に回転するようになる。したがって、ローラの径を小さくして、シャッター機構を小型化することができる。
【００１６】
本発明において、シャッター部材は、閉鎖部およびカード当接部がカード搬送路の開放方向へ回動したときに、カードの挿入方向におけるカード搬送路の奥側へカードを案内するカード乗継部を、カードの挿入方向における閉鎖部の奥側に備えることが好ましい。このように構成すると、たとえば、シャッター機構の奥側にカードリーダの本体部が配置される場合には、カードを本体部へ案内するための案内機構を別途設けなくても、カードリーダの本体部へカードを適切に案内することができる。
【００１７】
本発明において、閉鎖部は、カード搬送路を閉鎖した状態でカードの挿入側から押されたときに、カード搬送路の開放方向と逆方向へ閉鎖部が回動するように傾斜する傾斜面を備えることが好ましい。このように構成すると、カード搬送路への異物の挿入を確実に防止することが可能になる。
【００１８】
本発明のカードリーダのシャッター機構は、カードリーダのカード挿入部に用いることができる。このカードリーダでは、異物の挿入を防止するために必要なシャッター機構の強度を簡易な構成で従来以上に高めることが可能になる。
【００１９】
本発明において、カード挿入部は、カードリーダの本体部内にカードが入っているときに点滅する発光部材と、発光部材を覆う透明または半透明のカバー部材を備えることが好ましい。このように構成すると、カードリーダの本体部内にカードが入っているか否かを目視で確認することができるため、カードリーダへのカードの誤挿入を防止することが可能になる。
【発明の効果】
【００２０】
以上のように、本発明のカードリーダのシャッター機構では、簡易な構成で、異物の挿入を防止するために必要な強度を従来以上に高めることが可能になる。また、本発明のカードリーダでは、異物の挿入を防止するために必要なシャッター機構の強度を簡易な構成で従来以上に高めることが可能になる。
【発明を実施するための最良の形態】
【００２１】
以下、本発明の実施の形態を図面に基づいて説明する。
【００２２】
（カードリーダの概略構成）
図１は、本発明の実施の形態にかかるカードリーダ１の概略構成を側面から説明するための図である。
【００２３】
本形態のカードリーダ１は、カード２に記録された情報の再生および／またはカード２への情報の記録を行うための装置である。このカードリーダ１は、図１に示すように、たとえば、磁気情報の再生や記録を行うための磁気ヘッド３を有する本体部４と、カード２が挿入されるカード挿入部５とを備えている。
【００２４】
本体部４は、磁気ヘッド３に加え、本体部４内でカード２を搬送するための複数の搬送ローラ６と、搬送ローラ６に対向するとともに搬送ローラ６に向かって付勢された複数のパッドローラ７と、搬送ローラ６を駆動するためのローラ駆動機構（図示省略）とを備えている。また、本体部４の内部には、カード２が搬送される搬送路８が形成されている。
【００２５】
カード２の表面には、磁気情報が記録される磁気ストライプ（図示省略）が形成されている。なお、カード２の表面には、ＩＣチップが固定されても良い。また、カード２には、通信用のアンテナが内蔵されても良いし、カード２の表面に、感熱方式によって印字が行われる印字部が形成されても良い。すなわち、カードリーダ１は、磁気カードリーダに限定されるものではなく、接触式または非接触式ＩＣカードリーダであっても良いし、また、感熱式印字機構を備えたカードリーダであっても良い。
【００２６】
（カード挿入部の構成）
図２は、図１に示すカード挿入部５の斜視図である。図３は、図２に示すカード挿入部５から上ベゼル１１等を取り外した状態を示す斜視図である。図４は、図２に示すカード挿入部５の内部の構成を説明するための図である。図５は、図３に示すシャッター部材本体２１を示す図であり、（Ａ）は平面図、（Ｂ）は正面図、（Ｃ）は底面図、（Ｄ）は側面図、（Ｅ）は（Ｂ）のＥ−Ｅ断面を示す断面図である。
【００２７】
カード挿入部５は、カード挿入部５の上本体を構成する上ベゼル１１と、カード挿入部５の下本体を構成する下ベゼル１２とを備えている。上ベゼル１１と下ベゼル１２とは、ネジ１４によって互いに固定されており、上ベゼル１１と下ベゼル１２との間には、図４に示すように、カード２が搬送されるカード搬送路１３が形成されている。また、カード挿入部５は、図３、図４に示すように、発光部材としての複数の発光素子１５が固定される基板１６と、カード搬送路１３を閉鎖するためのシャッター機構１７とを内部に備えている。
【００２８】
本形態では、図２のＸ方向へカード２が搬送される。具体的には、図２のＸ１方向へカード２が挿入され、図２のＸ２方向へカード２が排出される。すなわち、本形態では、Ｘ方向はカード２の搬送方向、Ｘ１方向はカード２の挿入方向、Ｘ２方向はカード２の排出方向である。また、図２のＺ方向は、カード２の厚さ方向であり、Ｘ方向とＺ方向とに直交するＹ方向は、カード２の短手幅方向である。なお、以下の説明では、Ｘ１方向側を奥側、Ｘ２方向側を手前側とする。また、本形態では、Ｚ方向がカード挿入部５の上下方向となる。
【００２９】
発光素子１５は、たとえば、ＬＥＤ（Ｌｉｇｈｔ  Ｅｍｉｔｔｉｎｇ  Ｄｉｏｄｅｓ）である。発光素子１５が固定される基板１６は、カード搬送路１３の上方に配置されている。また、基板１６は、発光素子１５の固定面が手前側を向くように上ベゼル１１に固定されている。上ベゼル１１には、基板１６を覆う透明または半透明のカバー部材１８が固定されている。すなわち、基板１６の固定位置に対応する上ベゼル１１の手前端と上端との境界部分には、カバー部材１８が固定される固定部が形成されている。
【００３０】
本形態では、本体部４内に配置されるセンサ（図示省略）がカード２を検出すると（すなわち、本体部４内にカード２が入っていると）、発光素子１５が点滅する。また、カバー部材１８は、透明または半透明である。そのため、発光素子１５が点滅しているか否かを目視で確認することで、ユーザは、本体部４内にカード２が入っている否かを確認することができる。
【００３１】
シャッター機構１７は、カード搬送路１３を閉鎖および開放するシャッター部材２０と、シャッター部材２０を下方向へ付勢する圧縮コイルバネ２３とを備えている。シャッター部材２０は、Ｙ方向を軸方向として回動可能なシャッター部材本体２１と、シャッター部材本体２１に回転可能に保持されるローラ２２とを備えている。
【００３２】
シャッター部材本体２１は、図５に示すように、カード搬送路１３を閉鎖するための閉鎖部２１ａと、挿入されたカード２の奥側の端部（先端部）が当接する斜面部２１ｂと、ローラ２２を保持するローラ保持部２１ｃと、圧縮コイルバネ２３の下端が当接するバネ当接部２１ｄと、挿入されたカード２を本体部４に向かって案内するためのカード乗継部２１ｅと、Ｙ方向を軸方向としてシャッター部材本体２１の全体を回動可能に支持する軸部２１ｆとを備えている。
【００３３】
本形態のシャッター部材本体２１は、樹脂で形成されている。また、閉鎖部２１ａ、斜面部２１ｂ、ローラ保持部２１ｃ、バネ当接部２１ｄ、カード乗継部２１ｅおよび軸部２１ｆは一体でシャッター部材本体２１に形成されている。
【００３４】
閉鎖部２１ａは、Ｙ方向を長手方向とする細長い長方形の平板状に形成されている。また、閉鎖部２１ａは、シャッター部材本体２１のＸ方向の略中心位置に形成されている。
【００３５】
斜面部２１ｂは、閉鎖部２１ａのＹ方向両端から手前側に突出する突出部２１ｇの手前端にブロック状に形成されている。斜面部２１ｂの下端側は、奥側に向かうにしたがって下側へ傾斜する曲面状に形成されている。具体的には、斜面部２１ｂの下端側は、奥側に向かうにしたがって下側へ傾斜する略円弧面状に形成されている。また、斜面部２１ｂの下奥端部分には、Ｒ加工が施されており、斜面部２１ｂの下奥端部分は、曲率半径の小さな曲面状に形成されている。
【００３６】
Ｙ方向における２個の斜面部２１ｂの内側端の距離は、カード２の短手方向の幅よりも狭くなっている。また、Ｙ方向における２個の斜面部２１ｂの外側端の距離は、カード２の短手方向の幅とほぼ同じか、カード２の短手方向の幅よりも若干広くなっている。
【００３７】
ローラ保持部２１ｃは、閉鎖部２１ａのＹ方向両端からＹ方向外側へ突出する円柱状に形成されている。また、ローラ保持部２１ｃは、斜面部２１ｂの奥側に配置されている。このローラ保持部２１ｃには、ローラ２２が挿入されており、ローラ２２は、ローラ保持部２１ｃに回転可能に保持されている。
【００３８】
バネ当接部２１ｄは、閉鎖部２１ａの上端から奥側に向かって形成される平面部２１ｈの上面に形成されている。本形態では、Ｙ方向に所定の間隔をあけた状態で２個のバネ当接部２１ｄが形成されている。また、平面部２１ｈの下面には、図５（Ｃ）に示すように、複数の補強リブ２１ｊが形成されている。補強リブ２１ｊは、平面部２１ｈの手前端から奥側に向かって形成されるとともに、奥側に向かうにしたがって上方向へ傾斜する扁平な三角柱状に形成されている。また、Ｙ方向の中心位置に配置される補強リブ２１ｊは、他の補強リブ２１ｊよりも大きく形成されている。
【００３９】
カード乗継部２１ｅは、平面部２１ｈの奥端側のＹ方向両端にブロック状に形成されている。すなわち、カード乗継部２１ｅは、閉鎖部２１ａよりも奥側に形成されている。また、カード乗継部２１ｅは、ローラ保持部２１ｃの奥側に配置されている。カード乗継部２１ｅの下端側は、後述のように、カード搬送路１３が閉鎖されているときに（すなわち、閉鎖部２１ａの下端がカード搬送路１３の下面に当接しているときに）奥側に向かうにしたがって上側へ傾斜するような平面状に形成されている。また、カード乗継部２１ｅの下手前端部分には、Ｒ加工が施されており、カード乗継部２１ｅの下手前端部分は、曲率半径の小さな曲面状に形成されている。
【００４０】
軸部２１ｆは、円柱状に形成されるとともに、閉鎖部２１ａよりも奥側に形成されている。具体的には、軸部２１ｆは、シャッター部材本体２１の奥端側のＹ方向両端側から下側に向かって形成される軸形成部２１ｋのＹ方向両端からＹ方向外側に突出するように形成されている。また、軸部２１ｆは、斜面部２１ｂ、ローラ保持部２１ｃおよびカード乗継部２１ｅよりもＹ方向外側へ突出するように形成されている。この軸部２１ｆは、図３に示すように、下ベゼル１２に形成されたシャッター部材保持部１２ａに係合しており、シャッター部材保持部１２ａに回動可能に保持されている。
【００４１】
本形態では、図４に示すように、Ｚ方向において、カード搬送路１３の形成位置と軸部２１ｆの配置位置とが略一致している。具体的には、Ｚ方向におけるカード搬送路１３の中心と軸部２１ｆの径方向中心とがＺ方向で略一致するように軸部２１ｆが形成されている。
【００４２】
圧縮コイルバネ２３の下端はバネ当接部２１ｄに当接し、圧縮コイルバネ２３の上端は、上ベゼル１１に当接している。また、圧縮コイルバネ２３は、軸部２１ｆよりも手前側に配置されている。そのため、シャッター部材本体２１は、圧縮コイルバネ２３の付勢力で、軸部２１ｆを中心として図４の反時計方向に付勢されており、図４に示すように、通常、閉鎖部２１ａの下端は、カード搬送路１３の下面に当接している。
【００４３】
閉鎖部２１ａがカード搬送路１３の下面に当接しているときには、閉鎖部２１ａはカード搬送路１３を閉鎖している。すなわち、閉鎖部２１ａがカード搬送路１３の下面に当接している状態が、カード搬送路１３の閉鎖状態である。この状態では、閉鎖部２１ａの手前側の面（図４の左側の面）は、下側に向かうにしたがって手前側へ若干傾斜している。また、この状態では、斜面部２１ｂは、カード搬送路１３の下面から若干浮いた状態となっている。さらに、この状態では、ローラ２２の下端側は、下ベゼル１２の上面に形成された凹部（図示省略）の中に配置されており、ローラ２２の下端側は、カード搬送路１３の下面よりも下側に配置されている。また、この状態では、カード搬送路１３のＹ方向両端側は、斜面部２１ｂによって閉鎖されている。
【００４４】
（シャッター機構の動作）
図６は、図３に示すシャッター機構１７のカード挿入時の動作を説明するための図であり、（Ａ）はカード挿入開始時の状態を示す図、（Ｂ）はカード挿入中の状態を示す図である。図７は、図３に示すシャッター機構１７のカード排出時の動作を説明するための図であり、（Ａ）はカード排出開始時の状態を示す図、（Ｂ）はカード排出中の状態を示す図である。
【００４５】
以下、カード２の挿入時のシャッター機構１７の動作およびカード２の排出時のシャッター機構１７の動作をこの順番で説明する。
【００４６】
上述のように、圧縮コイルバネ２３の付勢力で、通常、閉鎖部２１ａはカード搬送路１３を閉鎖している。この状態で、図６（Ａ）に示すように、カード２がカード搬送路１３へ挿入されると、カード２の先端部（具体的には、カード２のＹ方向両端側の先端部）は、まず、斜面部２１ｂの下端側に当接する。カード２の先端部が斜面部２１ｂの下端側に当接すると、シャッター部材２０（シャッター部材本体２１およびローラ２２）は、軸部２１ｆを中心にカード搬送路１３の開放方向へ回動する。すなわち、閉鎖部２１ａがカード搬送路１３の上方へ持ち上がってカード搬送路１３を開放するように、シャッター部材２０が軸部２１ｆを中心に図６の時計方向へ回動する。
【００４７】
また、カード２がさらにカード搬送路１３に挿入されていくと、カード２の先端部（具体的には、Ｙ方向両端側の先端部）はローラ２２に当接し、ローラ２２の下側に入り込んで、シャッター部材２０が開放方向へさらに回動する。また、図６（Ｂ）に示すように、カード２はローラ２２に案内されて奥側へ進む。その際、ローラ２２は、カード２の上面に当接して回転する。なお、カード２の先端部がローラ２２に当接して、ローラ２２の下側に入り込むと、斜面部２１ｂはカード２に当接しなくなる。
【００４８】
ローラ２２がカード２の上面に当接して回転している状態では、図６（Ｂ）に示すように、カード乗継部２１ｅの下端側の平面部がカード２の搬送方向と略平行になっており、カード乗継部２１ｅは、カード搬送路１３の奥側に配置される本体部４へカード２を案内している。
【００４９】
カード２がローラ２２の下側を通過して、本体部４に取り込まれると、シャッター機構１７は、圧縮コイルバネ２３の付勢力で閉鎖部２１ａがカード搬送路１３を閉鎖する閉鎖状態に戻る。そのため、本体部４内でカード２の処理が終わり、カード２が排出される前には、図７（Ａ）に示すように、閉鎖部２１ａがカード搬送路１３を閉鎖している。
【００５０】
この状態でカード２が排出されると、カード２の手前側の端部（後端部、具体的には、カード２のＹ方向両端側の後端部）は、まず、カード乗継部２１ｅの下端側に当接する。カード２の後端部がカード乗継部２１ｅの下端側に当接すると、シャッター部材２０は、軸部２１ｆを中心にカード搬送路１３の開放方向へ回動する。
【００５１】
また、カード２がさらに排出されていくと、カード２の後端部はローラ２２に当接し、ローラ２２の下側に入り込んで、シャッター部材２０が開放方向へさらに回動する。また、カード２はローラ２２に案内されて手前側へ排出される。その際、ローラ２２は、カード２の上面に当接して回転する。
【００５２】
ここで、カード搬送路１３が閉鎖されている状態でカード搬送路１３にカード２の幅よりも幅の狭いイレギュラーカードや棒等の異物が挿入されると、異物は、斜面部２１ｂに接触することなく、閉鎖部２１ａに当たる。上述のように、閉鎖部２１ａがカード搬送路１３を閉鎖しているとき、閉鎖部２１ａの手前側の面は、下側に向かうにしたがって手前側に若干傾斜している。そのため、異物が閉鎖部２１ａに当たると、シャッター部材２０には、軸部２１ｆを中心とする反時計方向（すなわち、閉鎖部２１ａがカード搬送路１３の下面に向かう方向）への回転力が生じる。したがって、カード搬送路１３が閉鎖されているときの異物の挿入が阻止される。本形態では、閉鎖部２１ａの手前側の面は、カード搬送路１３が閉鎖している状態で手前側から押されたときに、カード搬送路１３の開放方向と逆方向へ閉鎖部２１ａが回動するように傾斜する傾斜面となっている。
【００５３】
なお、本形態では、斜面部２１ｂとローラ２２とによって、カード搬送路１３に挿入されたカード２の先端部が当接するカード当接部が構成されている。
【００５４】
（本形態の主な効果）
以上説明したように、本形態では、斜面部２１ｂおよびローラ２２にカード２の先端部が当接すると、閉鎖部２１ａが軸部２１ｆを中心に回動してカード搬送路１３を開放する。そのため、カード搬送路１３を開閉する駆動源が不要となり、シャッター機構１７の構成を簡素化できる。
【００５５】
本形態では、軸部２１ｆが閉鎖部２１ａの回動中心となっているため、カード搬送路１３に異物が挿入され異物が閉鎖部２１ａに接触すると軸部２１ｆに接触時の力がかかる。しかしながら、本形態では、閉鎖部２１ａがシャッター部材本体２１のＸ方向の略中心位置に形成され、軸部２１ｆがシャッター部材本体２１の奥端側に形成されている。そのため、カード搬送路１３に異物が挿入された際の異物と閉鎖部２１ａとの接触部分と、軸部２１ｆとのＺ方向における距離を短くすることができる。特に本形態では、Ｚ方向におけるカード搬送路１３の中心と軸部２１ｆの径方向中心とが、Ｚ方向で略一致するように軸部２１ｆが形成されている。したがって、カード搬送路１３を閉鎖する閉鎖部２１ａに異物が接触した際に、シャッター部材２０には、軸部２１ｆに向かう圧縮力が生じる。その結果、本形態では、たとえば、特許文献１に記載されたシャッター機構と比較して、簡易な構成で、異物の挿入を防止するために必要なシャッター機構１７の強度を高めることができる。
【００５６】
また、本形態では、閉鎖部２１ａと軸部２１ｆとが、カード２の搬送方向でずれた位置に配置され、斜面部２１ｂおよびローラ２２にカード２の先端部が当接すると、閉鎖部２１ａが軸部２１ｆを中心に回動してカード搬送路１３を開放する。そのため、本形態では、Ｚ方向で、シャッター機構１７を小型化することができる。
【００５７】
本形態では、軸部２１ｆは、カード２の挿入方向におけるシャッター部材２０の奥端側に配置されている。そのため、挿入方向にカード２が搬送されるときよりも、排出方向にカード２が搬送されるときの方がシャッター部材２０は回動しやすくなる。したがって、本形態では、排出時のカード２がカード搬送路１３を円滑に通過しやすくなり、カード２を円滑に排出することができる。
【００５８】
本形態では、シャッター部材２０は、カード２に当接して回転するローラ２２を備えている。そのため、カード２を円滑に搬送することができ、カード２の搬送負荷を低減することができる。また、カード２に傷が生じるのを抑制することができる。
【００５９】
本形態では、シャッター部材２０は、ローラ２２よりも手前側に斜面部２１ｂを備え、カード２の先端部が斜面部２１ｂに当接すると、カード搬送路１３の開放方向へローラ２２が軸部２１ｆを中心に回動する。そのため、ローラ２２の径を比較的小さくしても、カード２の先端部がローラ２２に接触した際にローラ２２が円滑に回転する。したがって、ローラ２２の径を小さくして、シャッター機構１７を小型化することができる。また、カード２の先端部がローラ２２に当接して、ローラ２２の下側に入り込むと、斜面部２１ｂはカード２に当接しなくなるため、カード２の表面の傷の発生を抑制することができる。
【００６０】
本形態では、シャッター部材２０に形成されるカード乗継部２１ｅは、シャッター部材２０がカード搬送路１３の開放方向へ回動したときに、カード搬送路１３の奥側へカード２を案内している。そのため、カード挿入部５の奥側に配置される本体部４へカード２を案内するための案内機構を別途設けなくても、本体部４へカード２を適切に案内することができる。
【００６１】
また、本形態では、カード乗継部２１ｅの下端側は、カード搬送路１３が閉鎖されているときに、奥側に向かうにしたがって上側へ傾斜するような平面状に形成されている。そのため、カード２の排出時には、本体部４から排出されるカード２を排出方向へ適切に案内することができる。
【００６２】
本形態では、閉鎖部２１ａがカード搬送路１３を閉鎖しているとき、閉鎖部２１ａの手前側の面は、下側に向かうにしたがって手前側に若干傾斜している。そのため、上述のように、カード搬送路１３が閉鎖されているときの異物の挿入を阻止することができる。
【００６３】
本形態では、カバー部材１８が透明または半透明である。また、本体部４内にカード２が入っていると発光素子１５が点滅する。そのため、発光素子１５が点滅しているか否かを目視で確認することで、ユーザは、本体部４内にカード２が入っている否かを確認することができる。したがって、本形態では、カード２の誤挿入を防止することが可能になる。
【００６４】
（他の実施の形態）
上述した形態は、本発明の好適な形態の一例ではあるが、これに限定されるものではなく本発明の要旨を変更しない範囲において種々変形実施が可能である。
【００６５】
上述した形態では、軸部２１ｆは、閉鎖部２１ａより奥側に形成されているが、軸部２１ｆは、閉鎖部２１ａよりも手前側に形成されても良い。この場合には、異物が閉鎖部２１ａに接触した際、シャッター部材２０には、軸部２１ｆから遠ざかる方向に引張り力が生じる。そのため、この場合であっても、異物の挿入を防止するために必要な強度を従来以上に高めることができるといった上述の効果を得ることが可能になる。
【００６６】
上述した形態では、Ｚ方向におけるカード搬送路１３の中心と軸部２１ｆの径方向中心とが、Ｚ方向で略一致するように軸部２１ｆが形成されている。この他にもたとえば、Ｚ方向におけるカード搬送路１３の中心よりも、軸部２１ｆの径方向中心が上側あるいは下側に配置されるように軸部２１ｆが形成されても良い。
【００６７】
上述した形態では、シャッター部材２０はローラ２２を備えているが、ローラ２２に代えて、摺動性に優れた摺動突起がシャッター部材２０に形成されても良い。この場合には、この摺動突起と斜面部２１ｂとが一体で形成されても良い。また、シャッター部材本体２１に斜面部２１ｂを形成せずに、挿入されたカード２が直接、ローラ２２に当接するようにしても良い。
【００６８】
上述した形態では、軸部２１ｆはシャッター部材本体２１に一体で形成されている。この他にもたとえば、シャッター部材本体２１と別体で形成された軸部にシャッター部材本体２１が回動可能に支持されても良い。この場合、軸部は、シャッター部材本体２１に固定されるとともに下ベゼル１２に回動可能に保持されても良いし、下ベゼル１２に固定されるとともにシャッター部材本体２１を回動可能に支持しても良い。
【００６９】
上述した形態では、Ｙ方向の両側に配置される２個の斜面部２１ｂ、ローラ２２のいずれか一方にカード２の先端部が当接すると、シャッター部材２０が軸部２１ｆを中心に回動して、カード搬送路１３を開放する。この他にもたとえば、図８に示すように、シャッター部材２０の回動をロックするロックレバー３０をＹ方向の両側に配置して、カード２のＹ方向の両端がロックレバー３０に当接してロックレバー３０がシャッター部材２０のロックを解除したときに、シャッター部材２０が軸部２１ｆを中心に回動するように構成しても良い。すなわち、正規の幅のカード２が挿入されたときにのみ、シャッター部材２０がカード搬送路１３を開放するように構成しても良い。このように構成すると、異物の挿入をより確実に排除することが可能になる。
【００７０】
この場合には、たとえば、ロックレバー３０がシャッター部材２０をロックしている状態では、図８（Ａ）に示すように、ロックレバー３０は上側からシャッター部材２０の手前端側に当接している。また、ロックレバー３０は、図示を省略する付勢部材によってＹ方向内側へ付勢されている。この状態で、カード２が挿入されると、図８（Ｂ）に示すように、カード２のＹ方向両端がロックレバー３０に当接して、ロックレバー３０がＹ方向外側へ移動する。ロックレバー３０がＹ方向外側へ移動すると、ロックレバー３０がシャッター部材２０の上側から移動して、シャッター部材２０が回動可能となる。
【００７１】
また、本体部４内にカード２が挿入されているときに、閉鎖部２１ａとともに、カード搬送路１３を閉鎖するピンシャッターを設けても良い。この場合には、たとえば、ソレノイドを駆動源として、カード搬送路１３に対してピンが出没するように構成すれば良い。このように構成するとカード２の誤挿入を確実に防止することが可能になる。
【図面の簡単な説明】
【００７２】
【図１】本発明の実施の形態にかかるカードリーダの概略構成を側面から説明するための図である。
【図２】図１に示すカード挿入部の斜視図である。
【図３】図２に示すカード挿入部から上ベゼル等を取り外した状態を示す斜視図である。
【図４】図２に示すカード挿入部の内部の構成を説明するための図である。
【図５】図３に示すシャッター部材本体を示す図であり、（Ａ）は平面図、（Ｂ）は正面図、（Ｃ）は底面図、（Ｄ）は側面図、（Ｅ）は（Ｂ）のＥ−Ｅ断面を示す断面図である。
【図６】図３に示すシャッター機構のカード挿入時の動作を説明するための図であり、（Ａ）はカード挿入開始時の状態を示す図、（Ｂ）はカード挿入中の状態を示す図である。
【図７】図３に示すシャッター機構のカード排出時の動作を説明するための図であり、（Ａ）はカード排出開始時の状態を示す図、（Ｂ）はカード排出中の状態を示す図である。
【図８】本発明の他の実施の形態にかかるシャッター機構の構成を説明するための平面図であり、（Ａ）はロックレバーがシャッター部材をロックしている状態を示す図、（Ｂ）はロックレバーのロックが解除されている状態を示す図である。
【符号の説明】
【００７３】
１  カードリーダ
２  カード
４  本体部
５  カード挿入部
１３  カード搬送路
１５  発光素子（発光部材）
１７  シャッター機構
１８  カバー部材
２０  シャッター部材
２１  シャッター部材本体
２１ａ  閉鎖部
２１ｂ  斜面部（カード当接部の一部）
２１ｅ  カード乗継部
２１ｆ  軸部
２２  ローラ（カード当接部の一部）
Ｘ１  挿入方向
Ｚ  厚さ方向
【図１】
0005179924.tif 000002
【図２】
0005179924.tif 000003
【図３】
0005179924.tif 000004
【図４】
0005179924.tif 000005
【図５】
0005179924.tif 000006
【図６】
0005179924.tif 000007
【図７】
0005179924.tif 000008
【図８】
0005179924.tif 000009